(57)【特許請求の範囲】
【請求項１】
人体から放射される熱線を検知する熱線センサと、
熱線センサにより熱線が検知されると人体の存否に応じた制御信号を生成する制御手段と、
それぞれ電線が接続される複数対の電線接続端子と、
対を構成する電線接続端子間の電気的接続を、制御手段が出力した制御信号に応じてオンオフするスイッチ手段と、
熱線センサと制御手段とスイッチ手段と各電線接続端子とがそれぞれ収納され所定の検知範囲からの熱線を熱線センサの受光面に入射させる窓部が設けられたハウジングとを備え、
ハウジングは、下面に窓部が設けられ埋込配設時に上向きの外面を天井面に当接させて天井材に固定される本体部と、本体部の上向きの外面よりも上方に突出し電線接続端子に接続される電線が挿通される電線挿入穴が少なくとも１個設けられ埋込配設時に天井面に設けられた埋込穴に収納される端子台部とを有し、
ハウジングの本体部には、それぞれ埋込穴に収納されたスイッチボックス又は天井材へのねじ止め用のねじが挿通される複数個のねじ挿通穴が上下に貫設されていて、
弾性変形可能な材料からなりハウジングの本体部に被着されて下方から見てハウジングのねじ挿通穴を覆う化粧カバーを備え、
ハウジングの本体部の下方から見た外周は円形状であり、
化粧カバーは、ハウジングの窓部を露出させる窓穴が上下に貫設され下方から見た外周が円形状の底部と、底部の全周から上方に突設された円筒形状の周壁部とを有し、
ハウジングの本体部の下方から見た外周面には、係止凸部が全周にわたって径方向の外向きに突設され、
化粧カバーの周壁部の内周面には、それぞれハウジングの係止凸部に係止される被係止凸部が、周方向に並べて複数個突設されていて、
各被係止凸部がそれぞれ係止凸部に係止されることによって化粧カバーはハウジングに機械的に結合するものであって、
ハウジングに対して機械的に結合して水平方向から見て端子台部を覆い、露出配設時に上面を天井面に当接させて天井材に固定される露出配設用カバーを備え、
露出配設用カバーには、電線接続端子に接続される電線が挿通される電線挿通穴と、露出配設用カバーの上下両側に開口した貫通穴であってハウジングの端子台部の少なくとも一部が挿入される端子台収納穴とがそれぞれ設けられていることを特徴とする熱線センサ付き自動スイッチ。
【請求項２】
露出配設用カバーは、複数本のねじを用いたねじ止めによってハウジングに対して結合するものであって、
露出配設用カバーにおいて上下方向から見てハウジングの端子台部を挟んで電線挿通穴の反対側に位置する部位には、ハウジングへのねじ止め用の各ねじをそれぞれ着脱自在に保持するねじ保持部が設けられていることを特徴とする請求項１記載の熱線センサ付き自動スイッチ。
【発明の詳細な説明】
【技術分野】
【０００１】
本発明は、熱線センサ付き自動スイッチに関するものである。
【背景技術】
【０００２】
従来から、人体から放射される熱線を検知する熱線センサと、熱線センサにより熱線が検知されると人体の存否に応じた制御信号を生成する制御手段と、それぞれ電線が接続される複数対の電線接続端子と、対を構成する電線接続端子間の電気的接続を、制御手段が出力した制御信号に応じてオンオフするスイッチ手段と、熱線センサと制御手段とスイッチ手段と各電線接続端子とがそれぞれ収納され所定の検知範囲からの熱線を熱線センサの受光面に入射させる窓部が設けられたハウジングとを備え、天井面に設けられた埋込穴に埋込配設される熱線センサ付き自動スイッチが提供されている（例えば、特許文献１参照）。
【０００３】
この種の熱線センサ付き自動スイッチは、例えば、電線接続端子の対の一方を電源に接続し、電線接続端子の対の他方を照明や換気扇などの負荷に接続して、室内に人が入ったときに電源から負荷への給電をオンし、人が室外に退出したときに電源から負荷への給電をオフするといった制御に用いられる。
【０００４】
この種の熱線センサ付き自動スイッチとして、例えば図２１に示すものがある。この熱線センサ付き自動スイッチは、円板形状のフランジ部４３と、フランジ部４３の上面に突設されて上方から見た外径がフランジ部４３よりも小さい本体部４４とを有するハウジング４を備える。
【０００５】
熱線センサと、制御手段を構成する各回路部品と、各電線接続端子と、スイッチ手段を構成する各回路部品とは、それぞれハウジング４の本体部４４に収納されている。
【０００６】
また、フランジ部４３において本体部４４の下側となる位置には、検知範囲からの熱線を熱線センサに入射させるレンズブロック５を露出させる窓穴４３ａと、それぞれ熱線センサの感度などの動作特性を設定するための２個の調整素子ＶＲの操作用の摘みを１個ずつ突出させる２個の摘み挿通穴４３ｂとが、それぞれ上下に貫設されている。
【０００７】
さらに、フランジ部４３において本体部４４に重ならない両端部にはそれぞれねじ挿通穴４３ｃが上下に貫設されており、天井面に設けられた埋込穴に本体部４４を収納して本体部４４の上面を天井面に当接させた形で、ねじ挿通穴４３ｃに挿通されたねじを天井材に螺合させることにより、ハウジング４は天井面に対して固定される。
【０００８】
また、ハウジング４の下側には、図２２に示すような化粧カバー８が着脱自在に取り付けられる。化粧カバー８は全体として厚さ方向を上下方向に向けた円板形状であって、センサブロック５を露出させるための窓穴８１ａが上下に貫設され、上面にはハウジング４との結合用の４個の結合凸部８３が矩形の頂点の配置でそれぞれ上方に突設されている。ハウジング４のフランジ部４３にも４個の結合穴４３ｄが同様の配置で上下に貫設されており、化粧カバー８は、各結合凸部８３をそれぞれ結合穴４３ｄに係入させることにより、ハウジング４に対して機械的に結合し、下方から見てハウジング４を覆う。
【０００９】
上記のような化粧カバー８を取り付けると、下方から見て調整素子ＶＲの摘みやねじ挿通穴４３ｃが見えなくなることによって見栄えが改善されるとともに、調整素子ＶＲの誤操作が防止される。
【特許文献１】特開２００３−３０３５３５号公報
【発明の開示】
【発明が解決しようとする課題】
【００１０】
上記従来の熱線センサ付き自動スイッチでは、化粧カバー８をハウジング４に取り付ける際、下方から見て化粧カバー８をハウジング４に重ねるとともに、各結合凸部８３の位置をそれぞれ結合穴４３ｄの位置に合わせる必要があり、この位置合わせが煩わしかった。
【００１１】
本発明は、上記事由に鑑みて為されたものであり、その目的は、化粧カバーの装着が容易な熱線センサ付き自動スイッチを提供することにある。
【課題を解決するための手段】
【００１２】
請求項１の発明は、人体から放射される熱線を検知する熱線センサと、熱線センサにより熱線が検知されると人体の存否に応じた制御信号を生成する制御手段と、それぞれ電線が接続される複数対の電線接続端子と、対を構成する電線接続端子間の電気的接続を、制御手段が出力した制御信号に応じてオンオフするスイッチ手段と、熱線センサと制御手段とスイッチ手段と各電線接続端子とがそれぞれ収納され所定の検知範囲からの熱線を熱線センサの受光面に入射させる窓部が設けられたハウジングとを備え、ハウジングは、下面に窓部が設けられ埋込配設時に上向きの外面を天井面に当接させて天井材に固定される本体部と、本体部の上向きの外面よりも上方に突出し電線接続端子に接続される電線が挿通される電線挿入穴が少なくとも１個設けられ埋込配設時に天井面に設けられた埋込穴に収納される端子台部とを有し、ハウジングの本体部には、それぞれ埋込穴に収納されたスイッチボックス又は天井材へのねじ止め用のねじが挿通される複数個のねじ挿通穴が上下に貫設されていて、弾性変形可能な材料からなりハウジングの本体部に被着されて下方から見てハウジングのねじ挿通穴を覆う化粧カバーを備え、ハウジングの本体部の下方から見た外周は円形状であり、化粧カバーは、ハウジングの窓部を露出させる窓穴が上下に貫設され下方から見た外周が円形状の底部と、底部の全周から上方に突設された円筒形状の周壁部とを有し、ハウジングの本体部の下方から見た外周面には、係止凸部が全周にわたって径方向の外向きに突設され、化粧カバーの周壁部の内周面には、それぞれハウジングの係止凸部に係止される被係止凸部が、周方向に並べて複数個突設されていて、各被係止凸部がそれぞれ係止凸部に係止されることによって化粧カバーはハウジングに機械的に結合するものであって、ハウジングに対して機械的に結合して水平方向から見て端子台部を覆い、露出配設時に上面を天井面に当接させて天井材に固定される露出配設用カバーを備え、露出配設用カバーには、電線接続端子に接続される電線が挿通される電線挿通穴と、露出配設用カバーの上下両側に開口した貫通穴であってハウジングの端子台部の少なくとも一部が挿入される端子台収納穴とがそれぞれ設けられていることを特徴とする。
【００１３】
この発明によれば、化粧カバーの底部の上面に設けた複数個の凸部をハウジングの下面に設けた複数個の穴に一対一に係入させることで化粧カバーとハウジングとを互いに結合させる場合に比べ、水平方向での向きを化粧カバーとハウジングとで合わせる必要がないことにより、ハウジングへの化粧カバーの装着が容易となる。また、露出配設用カバーを取り付けることにより、埋込穴を用いず全体を天井面から露出させる露出配設が可能となる。さらに、端子台収納穴を設けない場合や端子台収納穴を貫通穴としない場合に比べ、露出用配線用カバーを結合させた状態での全体としての小型化が可能となる。
【００１６】
請求項２の発明は、請求項１の発明において、露出配設用カバーは、複数本のねじを用いたねじ止めによってハウジングに対して結合するものであって、露出配設用カバーにおいて上下方向から見てハウジングの端子台部を挟んで電線挿通穴の反対側に位置する部位には、ハウジングへのねじ止め用の各ねじをそれぞれ着脱自在に保持するねじ保持部が設けられていることを特徴とする。
【００１７】
ハウジングの端子台部に関して電線挿通穴と同じ側にねじ保持部を設ける場合に比べ、ねじ保持部が、電線挿通穴に挿通されて電線接続端子に接続される電線の邪魔になりにくい。
【発明の効果】
【００１８】
請求項１の発明によれば、ハウジングの本体部の下方から見た外周面には、係止凸部が全周にわたって径方向の外向きに突設され、化粧カバーの周壁部の内周面には、それぞれハウジングの係止凸部に係止される被係止凸部が、周方向に並べて複数個突設されていて、各被係止凸部がそれぞれ係止凸部に係止されることによって化粧カバーはハウジングに機械的に結合するので、化粧カバーの底部の上面に設けた複数個の凸部をハウジングの下面に設けた複数個の穴に一対一に係入させることで化粧カバーとハウジングとを互いに結合させる場合に比べ、水平方向での向きを化粧カバーとハウジングとで合わせる必要がないことにより、ハウジングへの化粧カバーの装着が容易となる。また、ハウジングに対して機械的に結合して水平方向から見て端子台部を覆い、露出配設時に上面を天井面に当接させて天井材に固定される露出配設用カバーを備え、露出配設用カバーには、電線接続端子に接続される電線が挿通される電線挿通穴と、露出配設用カバーの上下両側に開口した貫通穴であってハウジングの端子台部の少なくとも一部が挿入される端子台収納穴とがそれぞれ設けられているので、露出配設用カバーを取り付けることにより、埋込穴を用いず全体を天井面から露出させる露出配設が可能となり、さらに、端子台収納穴を設けない場合や端子台収納穴を貫通穴としない場合に比べ、露出用配線用カバーを結合させた状態での全体としての小型化が可能となる。
【００２０】
請求項２の発明によれば、露出配設用カバーは、複数本のねじを用いたねじ止めによってハウジングに対して結合するものであって、露出配設用カバーにおいて上下方向から見てハウジングの端子台部を挟んで電線挿通穴の反対側に位置する部位には、ハウジングへのねじ止め用の各ねじをそれぞれ着脱自在に保持するねじ保持部が設けられているので、ハウジングの端子台部に関して電線挿通穴と同じ側にねじ保持部を設ける場合に比べ、ねじ保持部が、電線挿通穴に挿通されて電線接続端子に接続される電線の邪魔になりにくい。
【発明を実施するための最良の形態】
【００２１】
以下、本発明を実施するための最良の形態について、図面を参照しながら説明する。
【００２２】
本実施形態は、図２〜図５に示すように、人体から放射される熱線を検知する熱線センサＴＰ及び熱線センサＴＰにより熱線が検知されると人体の存否に応じた制御信号を生成する制御手段を構成する各回路部品がそれぞれ弱電基板１０に実装されてなる弱電ブロック１と、それぞれ電線ＰＣ（図１２参照）が接続される複数対の電線接続端子３、及び、制御手段が出力した制御信号に応じて、対を構成する電線接続端子３間の電気的接続をオンオフするスイッチ手段を構成する各回路部品がそれぞれ強電基板２０に実装されてなる強電ブロック２と、熱線センサＴＰに入射する熱線を通過させる窓穴４１ａが設けられ弱電ブロック１と強電ブロック２とをそれぞれ収納したハウジング４と、検知範囲からの熱線を熱線センサＴＰの受光面に集光するレンズ５１を有して窓穴４１ａを閉塞する形でハウジング４に保持されたレンズブロック５とを備える。
【００２３】
制御手段は、例えば、熱線センサＴＰの出力が所定の閾値を上回ったときにスイッチ手段を制御して対をなす電線接続端子３間の電気的接続をオンさせ、熱線センサＴＰの出力が上記所定の閾値を下回ってから所定の遅れ時間後に再びスイッチ手段を制御して対をなす電線接続端子３間の電気的接続をオフさせるものであり、周知技術で実現可能であるから詳細な説明は省略する。また、スイッチ手段は、例えば周知のリレーからなる。
【００２４】
以下、上下左右は図２（ｂ）を基準とし、図２（ｃ）の上下方向を前後方向と呼ぶ。すなわち、図４の左下−右上方向を左右方向と呼び、図４の右下−左上方向を前後方向と呼ぶ。
【００２５】
ハウジング４は、下方から見た外周が円形状であって下面に窓穴４１ａが開口した本体部４１と、本体部４１の上面に突設され電線接続端子３に接続される電線ＰＣが挿入される電線挿入穴４２ａが前面に開口した端子台部４２とを有する。このように水平方向に向けられた面である前面に電線挿入穴４２ａを開口させていることにより、電線挿入穴４２ａを上面に開口させる場合に比べ、電線挿入穴４２ａに埃や水滴が入りにくくなっている。
【００２６】
弱電ブロック１は、弱電基板１０の厚さ方向を上下方向に向けてハウジング４の本体部４１に収納されている。熱線センサＴＰと制御手段を構成する各回路部品とは、それぞれ弱電基板１０の下向きの面に実装されており、熱線センサＴＰは下方から見てハウジング４の中央となる位置に実装されている。また、弱電基板１０の下面には、上記の遅れ時間や熱線センサＴＰの感度を手動操作で設定するための２個の調整素子ＶＲも実装されており、ハウジング４の下面には、それぞれ１個ずつの調整素子ＶＲの操作用の摘みが挿通される２個の円形状の摘み挿通穴４１ｂが内外に貫設されている。上記の調整素子ＶＲとしては、例えば可変抵抗器や多接点スイッチが用いられる。
【００２７】
また、強電ブロック２は、強電基板２０の厚さ方向を前後方向に向けて弱電基板１０の後側に配置されている。強電基板２０は、図６（ａ）（ｂ）に示すように、前面に各電線接続端子３がそれぞれ実装される端子実装部２０ａと、端子実装部２０ａの下側に連続してスイッチ手段を構成する各回路部品がそれぞれ後面に実装されるスイッチ実装部２０ｂとからなる。スイッチ実装部２０ｂは端子実装部２０ａよりも左右両側に突出しており、強電基板２０は全体として逆Ｔ字形状となっている。弱電基板１０と強電基板２０とは、フラットケーブルＦＣを介して互いに電気的に接続されている。
【００２８】
各電線接続端子３は、それぞれ、図７に示すように、強電基板２０に電気的に接続される端子部３１ａを有する端子板３１と、電線ＰＣを端子板３１に押し付けるとともに一端を電線ＰＣに食込ませて（つまり電線ＰＣを鎖錠して）電線ＰＣを端子板３１に接触導通した状態に維持する鎖錠ばね３２とからなるいわゆる速結端子である。
【００２９】
電線接続端子３は２対４個設けられており、各電線接続端子３はそれぞれ図８に示すように強電基板２０に固定された端子ケース２１に収納されている。端子ケース２１は、例えば合成樹脂成型品からなり、後面（図７での上面）が開口した左右に長い直方体形状である。端子ケース２１の前面には、電線接続端子３に一対一に対応した４個の電線挿入穴４２ａが左右に並べて前後に貫設されていて、電線挿入穴４２ａに電線ＰＣを挿入すると、電線ＰＣを挿入した電線挿入穴４２ａに対応する電線接続端子３に電線ＰＣが接続（鎖錠）されるようになっている。また、端子ケース２１には、左右に並んだ一対の電線接続端子３毎に１個ずつ、それぞれ例えば合成樹脂成型品からなり対応する一対の電線接続端子３の２個の鎖錠ばね３２の前側に位置する解除釦２２が収納されており、端子ケース２１の前面において一対の電線挿入穴４２ａに挟まれた部位の下側には、それぞれ１個ずつの解除釦２２を露出させる解除穴４２ｂが前後に貫設されている。電線接続端子３に接続された電線ＰＣを抜く際には、解除穴４２ｂから例えばマイナスドライバーのような治具を挿入して解除釦２２を後方へ押圧すれば、解除釦２２が一対の電線接続端子３の各鎖錠ばね３２をそれぞれ弾性変形させて鎖錠が解除され、電線ＰＣを抜くことが可能となる。
【００３０】
また、端子ケース２１は、後面が開口した直方体形状であって各電線接続端子３をそれぞれ収納し前面に各電線挿入穴４２ａ及び各解除穴４２ｂがそれぞれ開口した本体部２１ａと、本体部２１ａの左右両面のそれぞれ後端部から左右方向の外向きに突設された固定部２１ｂとを有する。端子ケース２１は、図９に示すように、各固定部２１ｂにそれぞれ前後に貫設された固定穴２１ｃと、強電基板２０の端子実装部２０ａの左右両端部においてそれぞれ前後に貫設された固定穴２０ｃとに矢印Ａ１で示すように挿通された２個のリベットＲＶによって、後面の開口を強電基板２０の端子実装部２０ａによって閉塞される形で強電基板２０に対して固定されている。さらに、端子ケース２１の各固定部２１ｂの後面において固定穴２１ｃの下側には位置決め凸部２１ｄが後方へ突設され、強電基板２０には位置決め穴２０ｄが前後に貫設されていて、端子ケース２１を強電基板２０に固定する際には位置決め穴２０ｄに位置決め凸部２１ｄを係入させることで端子ケース２１の位置決めが可能となっている。また、各端子板３１の端子部３１ａはそれぞれ強電基板２０に差し込まれ、例えばはんだ付けによって強電基板２０に電気的且つ機械的に接続される。
【００３１】
レンズブロック５は、図４，図５及び図１０（ａ）（ｂ）に示すように、中空の半球形状に形成された集光レンズ５１と、下方へ向けられる一端から集光レンズ５１の凸曲面を突出させる形で集光レンズ５１に機械的に結合し集光レンズ５１によって閉塞される筒形状の保持枠５２とを有する。集光レンズ５１を保持枠５２に結合させる手段としては例えば嵌合や凹凸係合などの周知の手段を用いることができる。集光レンズ５１は、例えば合成樹脂成型品からなる多焦点レンズである。また、保持枠５２の外周面は、保持枠５２に囲まれた位置に中心を有する球面形状に形成されている。保持枠５２の外周面の球面形状の中心を挟む２箇所には、それぞれ軸が該球面の中心を通る円柱形状の軸凸部５２ａが突設されており、この軸凸部５２ａは窓穴４１ａの上側の開口の周縁部に載置される。すなわち、軸凸部５２ａを支点としてレンズブロック５をハウジング４に対して回転させることにより、ある程度までレンズブロック５の向きを変えて検知範囲を変化させることができる。ここで、集光レンズ５１の焦点と、熱線センサＴＰの受光面（下面）の中心とは、ともに保持枠５２の外周面の球面の中心に位置するようにしてあり、従ってレンズブロック５をどのように回転させても集光レンズ５１の焦点が常に熱線センサＴＰの受光面の中心に位置するようになっている。
【００３２】
また、レンズブロック５は、板ばねからなり保持枠５２をハウジングに対して保持する押し付けばね５３を有する。押し付けばね５３は例えば金属板に打ち抜き加工と曲げ加工とが施されてなり、全体として円環形状であって、周方向に長いスリットが複数個設けられることにより、中心部を外周部に対して上下に変位させるような弾性変形が可能となっている。さらに、押し付けばね５３の左右両端部の上下両端には、それぞれ結合凸部５３ａが上下方向の外向きに突設されている。各結合凸部５３ａはそれぞれ先端へ向かって上方へ傾斜している。また、ハウジング４の上向きの内面（後述するカバー６の上面）において、窓穴４１ａの周囲には、上下方向から見て強電基板２０とともにレンズブロック５と熱線センサＴＰとを囲む隔壁凸部４１ｃが上方へ突設されている。隔壁凸部４１ｃの内周面の３箇所には、それぞれ１個ずつの結合凸部５３ａが係入する結合凹部４１ｄが設けられている。さらに、ハウジング４の上向きの内面において窓穴４１ａの左後側には、押し付けばね５３の１個の結合凸部５３ａが係入する結合凹部４１ｄが設けられた保持凸部４１ｅが上方へ突設されている。押し付けばね５３は、各結合凸部５３ａがそれぞれ図１１に示すように結合凹部４１ｄに係入して結合凹部４１ｄの下向きの内面に弾接することにより、ハウジング４に対する上方への変位を制限されている。また、隔壁凸部４１ｃは、人の指が入る程度の隙間を、レンズブロック５の左右両側においてそれぞれレンズブロック５との間に空ける形状となっている。これにより、上記のような隙間が空かない場合に比べ、ハウジング４（より具体的には後述するカバー６）に対するレンズブロック５の組み付けが容易となっている。
【００３３】
そして、押し付けばね５３は、保持枠５２の上端部が内側に嵌合し、外周部がハウジング４に対して固定されることにより、保持枠５２を窓穴４１ａの周縁部においてハウジング４の上向きの内面に押し付ける。また、保持枠５２の外径は窓穴４１ａの内径よりも大きくなっており、押し付けばね５３のばね力により、保持枠５２の外周面と窓穴４１ａの内周面との間には摩擦力が生じるから、保持枠５２に対して操作力が加わっていなければハウジング４に対する保持枠５２の向きは上記の摩擦力によって維持される。さらに、保持枠５２の軸凸部５２ａは、押し付けばね５３とハウジング４の上向きの内面との間で、上下方向から見て窓穴４１ａの中心周りに回転移動可能となっており、これによってハウジング４に対する保持枠５２の回転軸を変更可能となっている。
【００３４】
さらに、検知範囲を狭くする必要がある場合には、レンズブロック５の下側に、熱線を遮断する材料からなる環形状のフードＦＤ（図１２参照）が取り付けられることもある。
【００３５】
また、ハウジング４は、合成樹脂成型品からなり上面が開口し上下に扁平な有底円筒形状であって底面の中央に円形状の窓穴４１ａが上下に貫設されるとともに窓穴４１ａの前側において２個の摘み挿通穴４１ｂが左右に並べて上下に貫設され隔壁凸部４１ｃと保持凸部４１ｅとがそれぞれ上面に設けられハウジング４の下面及び外周面を構成するカバー６と、合成樹脂成型品からなり下端部がカバー６に収納される形でカバー６に機械的に結合しカバー６の上側の開口を閉塞してハウジング４の上面を構成するボディ７とを有する。
【００３６】
ボディ７は、図３に示すように、厚さ方向を上下方向に向けた円板形状であってカバー６に収納される本体部７１と、本体部７１の上面の中央より後側において左右に長い直方体形状に上方へ膨出し端子ケース２１が収納される端子収納部７２とを有する。端子収納部７２の前面には、端子ケース２１において電線挿入穴４２ａが開口した前面を露出させる露出穴７２ａが前後に貫設されている。すなわち、端子ケース２１とボディ７の端子収納部７２とで端子台部４２が構成されている。また、本体部７１において露出穴７２ａの左右方向での中央部の前側には、上下方向と後方（露出穴７２ａ側）とに開放された位置決め溝７２ｂが設けられている。端子ケース２１の前面の左右方向での中央部には上下に長い位置決め凸部２１ｅが前方へ突設されていて、組立時には、位置決め凸部２１ｅが位置決め溝７２に挿通されることにより、左右方向についてボディ７に対する強電ブロック２の位置決めがなされる。
【００３７】
さらに、ボディ７の本体部７１の周縁部には、円筒形状の環状凸部７ａが下方へ突設されている。カバー６の内周面には、上側の内径を下側よりも大きくする段６ａが設けられている。上記の段６ａよりも上側におけるカバー６の内径はボディ７の本体部７１の外径よりも僅かに大きく、上記の段６ａよりも下側におけるカバー６の内径はボディ７の本体部７１の外径よりも小さくなっており、環状凸部７ａの下端が上記の段６ａの上面に当接することにより、ボディ７は本体部７１の上面をカバー６の上端面と略面一とする状態でカバー６に対して下方への落ち込みを禁止されている。また、ボディ７の前端には上下方向と径方向の外向きとにそれぞれ開放された位置決め溝７ｂが設けられ、カバー６の前端部において後ろ向きの内周面には位置決め溝７ｂに係入する位置決め凸部６ｂが後方へ突設されていて、位置決め凸部６ｂが位置決め溝７ｂに係入することにより、ボディ７はカバー６に対して上下方向から見た面内での向きを位置決めされている。
【００３８】
また、カバー６の内底面において、後端を含み１２０度ずつ位置をずらした３箇所には、それぞれ、両端がカバー６の内周面に連結された断面コ字形状の当接凸部６１が上方に突設され、当接凸部６１に囲まれた範囲からはそれぞればね片６２が上方に突設されている。各ばね片６２は、それぞれ、上下方向での中央部付近をカバー６の径方向について薄肉に形成されることにより、上端を下端に対してカバー６の径方向へ変位させるような弾性変形が可能となっている。各ばね片６２の上端部には、それぞれ係止爪６２ａがカバー６の中心軸に近づく方向へ突設されている。各係止爪６２ａの上端は、それぞれ下方へ向かって突出寸法を大きくするように傾斜している。また、ボディ７の下面には、下端面がカバー６の当接凸部６１の上端面に一対一に当接する３個の当接凸部７３が下方へ突設されている。ボディ７の各当接凸部７３はそれぞれカバー６の各当接凸部６１と同様の断面コ字形状となっている。ボディ７の各当接凸部７３の下端において外側へ向けられた各面には、それぞれ係止爪６２ａが係止される係止凸部７３ａが突設されている。すなわち、カバー６とボディ７とを互いに結合させる際には、カバー６に対するボディ７の位置を合わせてボディ７をカバー６内に押し込むと、各係止爪６２ａの傾斜面上をそれぞれボディ７の係止凸部７３ａが摺動することにより各ばね片６２がそれぞれ弾性変形し、やがて各係止爪６２ａがそれぞれボディ７の係止凸部７３ａを乗り越えると、各ばね片６２がそれぞれ弾性復帰して各係止爪６２ａがそれぞれボディ７の係止凸部７３ａの上側に入り込み（つまり係止され）、ここにおいてカバー６とボディ７とは機械的に結合する。また、ボディ７の各係止凸部７３ａの下面には、それぞれカバー６の当接凸部６１とばね片６２との間に入り込んで位置決めに寄与する位置決め片７３ｂが下方へ突設されている。
【００３９】
さらに、カバー６とボディ７とはねじ止めによっても互いに結合する。詳しく説明すると、ボディ７にはカバー６へのねじ止め用の組立ねじＳＣ２（図１参照）が挿通されるねじ挿通穴７４ａが上下に貫設され、ボディ７の下面には内面がねじ挿通穴７４ａの内面を構成する円筒形状のねじ挿通部７４が下方へ突設されている。カバー６の上面には、上面にねじ穴６３ａが開口して上面がねじ挿通部７４の下面に当接する円筒形状のねじ止め凸部６３が上方へ突設されている。すなわち、上記組立ねじは、ボディ７のねじ挿通部７４に挿通され、カバー６のねじ止め部６３に螺合して、カバー６とボディ７との結合力を生じさせる。ボディ７の上面には、底面の中央部にねじ挿通穴７４ａが開口して上記組立ねじの頭部が収納される収納凹部７４ｂが設けられている。
【００４０】
ここで、ハウジング４は、図１２に矢印Ａ２で示すように、本体部４１の上面を天井材ＣＥの下面（すなわち天井面）に当接させ、天井材ＣＥに設けられ天井面に開口した埋込穴ＣＥ１に端子台部４２を収納する形で、天井材ＣＥに対して取付ねじＳＣ１を用いたねじ止めによる固定が可能となっている。
【００４１】
そして、ハウジング４において窓穴４１ａの左右両側には、それぞれ左右に長い長円形状であって取付ねじＳＣ１が挿通されるねじ挿通穴４１ｆが上下に貫設されるとともに、ハウジング４の下面には、底面（下向きの内面）にねじ挿通穴４１ｆが開口して取付ねじＳＣ１の頭部が収納される収納凹部４１ｇが設けられている。
【００４２】
また、カバー６の内底面とボディ７の本体部７１の下面とには、それぞれ内周面がねじ挿通穴４１ｆの内面を構成する２個ずつのねじ挿通筒６４，７５が上方へ突設されている。カバー側６のねじ挿通筒６４の外周面には上側の外形を下側の外形よりも一回り小さくする段６４ａが設けられるとともに、ボディ７側のねじ挿通筒７５の内周面には下側の肉厚を上側の肉厚よりも小さくする段７５ａが設けられていて、カバー６とボディ７とが互いに結合した状態ではカバー６のねじ挿通筒６４の上端部がボディ７のねじ挿通筒７５の下端部に挿入される。
【００４３】
ここで、図１３に示すように、弱電基板１０には、カバー６のねじ挿通部６３が挿通される円形状の挿通穴１０ａが上下に貫設されるとともに、左右方向の外側と上下両側とにそれぞれ開放されてカバー６のねじ挿通筒６４が挿通される挿通切欠１０ｂが左右両端部にそれぞれ設けられている。上記の挿通穴１０ａの内径はカバー６のねじ挿通部６３の外径よりも僅かに大きい程度となっており、また、上記の挿通切欠１０ｂの幅寸法（前後の寸法）は、段６４ａの上側でのねじ挿通筒６４の前後の寸法よりも僅かに大きく且つ段６４ａの下側でのねじ挿通筒６４の前後の寸法よりも小さくなっている。また、カバー６においてねじ挿通筒６４の段６４ａと隔壁凸部４１ｃの上端面とは面一となっている。すなわち、弱電基板１０はねじ挿通筒６４の段６４ａと隔壁凸部４１ｃとに載置されるのであり、ハウジング４に対する弱電基板１０の水平方向での変位は挿通穴１０ａへのねじ挿通部７４の挿通と挿通切欠１０ｂへのねじ挿通筒６４の挿通とによって禁止されている。また、ハウジング４に対する弱電基板１０の上方への変位は、弱電基板１０の上面にボディ７のねじ挿通筒７５の下端面が当接することによって禁止される。以上により、弱電基板１０はハウジング４に対して位置決めされている。
【００４４】
また、カバー６の内底面の左右両端部と、ボディ７の本体部７１の上面の左右両端部とには、それぞれ、強電基板２０のスイッチ実装部２０ｂを厚さ方向である前後方向の両側から挟む挟み凸部６５，７６が突設されている。ボディ７の各挟み部７６は、それぞれ環状凸部７ａよりも下方へ突出している。カバー６の後側の挟み部６５と、ボディ７の各挟み部７６の下端部とは、それぞれ前後に並ぶ他の挟み部６５，７６との間の距離を先端に向かって大きくするように上記他の挟み部６５，７６との対向面を傾斜させており、これによって挟み部６５，７６間への強電基板２０の導入が容易となっている。強電ブロック２のハウジング４に対する変位は、前後方向については強電基板２０が挟み部６５，７６間に挟まれることにより禁止され、上下方向については強電基板２０がカバー６とボディ７との間に挟まれることにより禁止され、左右方向については強電基板２０のスイッチ実装部２０ｂがボディ７の環状凸部７ａやカバー６の内周面に挟まれることによって禁止されている。また、上記構成によって強電ブロック２が位置決めされることにより、強電基板２０は弱電基板１０の後端と隔壁凸部４１ｃの後端とに当接している。すなわち、強電基板２０と、弱電基板１０と、カバー６と、レンズブロック５とにより、熱線センサＴＰが収納される空間が閉塞されている。これにより、ハウジング４の外部から流入する気流が熱線センサＴＰに当る前に阻止され、上記気流による誤動作が抑制される。さらに熱線センサＴＰに例えば合成樹脂製であって熱線を透過させるとともに上記気流を阻止するセンサカバーＴＣを被着して用いた場合には誤動作をより確実に防止することができるが、このようなセンサカバーＴＣを省略して部品点数を削減しても誤動作は十分に抑制される。ここで、挟み凸部６５，７６は例えばカバー６にのみ設けても強電基板２０の位置決めは可能ではあるが、本実施形態ではボディ７にも挟み凸部７６を設けていることにより、ボディ７に挟み凸部７６を設けない場合に比べて組立時に強電基板２０の位置を安定させやすく組立が容易となっている。
【００４５】
また、カバー６の上面やボディ７の下面には、それぞれ機械的強度を向上するための複数個の補強凸部６６，７７がそれぞれ上下方向の内向きに突設されており、カバー６及びボディ７の各当接凸部６１，７３はそれぞれいずれかの補強凸部６６，７７に連結されている。
【００４６】
さらに、ハウジング４には、図１及び図１２にそれぞれ矢印Ａ３で示すように、見栄えを改善するために調整素子ＶＲの摘みやねじ挿通穴４１ｆを覆う化粧カバー８を着脱自在に被着可能となっている。化粧カバー８は、例えば合成樹脂成型品からなり、下方から見た外周が円形状であって下方から見てレンズブロック５を露出させる窓穴８１ａが上下に貫設された底部８１と、底部８１の上面の外周から上方に突設されハウジング４の本体部４１を囲む円筒形状の周壁部８２とを有する。化粧カバー８の底部８１は、外周部が径方向の内側へ向かって下方に傾斜するとともに、中央部が径方向の内側へ向かって上方に傾斜しており、窓穴８１ａの周囲が環形状に下方へ膨出した形状となっている。この膨出により、調整素子ＶＲの摘みが収納される空間を確保しながらも、窓穴８１ａの開口縁をセンサブロック５の下端よりも十分に上方に位置させ、熱線センサＴＰが検知すべき熱線への干渉を避けている。
【００４７】
ハウジング４の本体部４１の外周面には係止凸部４１ｈが全周にわたって径方向の外向きに突設され、化粧カバー８の周壁部８２の内周面にはそれぞれ係止凸部４１ｈに係止される複数個（例えば３個）の被係止凸部８２ａが周方向について等間隔にそれぞれ径方向の内向きに突設されている。ハウジング４の係止凸部４１ｈの外周面は、上方へ向かって突出寸法を大きくする方向に傾斜した傾斜面となっている。また、化粧カバー８の被係止凸部８２ａの上端部の先端面は、下方へ向かって突出寸法を大きくする方向に傾斜した傾斜面となっている。化粧カバー８をハウジング４に取り付ける際は、化粧カバー８を下方からハウジング４の本体部４１に被せて、化粧カバー８をハウジング４に対して上方へ押し込む。すると、化粧カバー８の各被係止凸部８２ａの上記傾斜面がそれぞれハウジング４の係止凸部４１ｈの上記傾斜面上を摺動することにより、化粧カバー８は周壁部８２の内径を拡げるように弾性変形しながら上方へ変位する。やがて化粧カバー８の各被係止凸部８２ａがそれぞれハウジング４の係止凸部４１ｈを乗り越えると、化粧カバー８が弾性復帰して各被係止凸部８２ａがそれぞれ係止凸部４１ｈの上側に入り込み（つまり係止され）、ここにおいて化粧カバー８はハウジング４に対して機械的に結合する。逆に、化粧カバー８をハウジング４から取り外す際には、化粧カバー８を弾性変形させて各被係止凸部８２ａと係止凸部４１ｈとの係止を解除しながら、化粧カバー８をハウジング４に対して下方へ変位させる。つまり、化粧カバー８は、各被係止凸部８２ａがそれぞれハウジング４の係止凸部４１ｈに係止されることによってハウジング４に着脱自在に結合するのであり、係止凸部４１ｈと各被係止凸部８２ａとの係脱は、化粧カバー８を弾性変形させることによって行なわれる。また、係止凸部４１ｈはハウジング４の本体部４１の中心軸に関して軸対象（無限回回転対称）な形状となっており、各被係止凸部８２ａは上下方向での位置がそれぞれ共通となっている。これにより、ハウジング４への化粧カバー８の着脱の際には、化粧カバー８をハウジング４に対して中心軸周りで回転させる位置合わせが不要となっている。
【００４８】
上記構成によれば、従来例のように化粧カバー８の装着の際に化粧カバー８をハウジング４に対して中心軸周りで回転させる位置合わせを必要とする場合に比べ、ハウジング４への化粧カバー８の装着が容易となっている。
【００４９】
さらに、本実施形態は、図１４〜図１９に示すようにハウジング４に露出配設用カバー９を取り付けることにより、埋込穴ＣＥ１を用いない露出配設が可能となっている。
【００５０】
具体的に説明すると、露出配設用カバー９は、全体として下面が開口した有底円筒形状となっている。
【００５１】
露出配設用カバー９の底面において中心を挟む２箇所には、それぞれねじ挿通穴９１ａ，９１ｂが上下に貫設されていて、露出配設用カバー９は、それぞれねじ挿通穴９１ａ，９１ｂの一方ずつに挿通されて天井材ＣＥに螺合する２本の取付ねじＳＣ１により、上面を天井材ＣＥの下面（つまり天井面）に当接させて天井材ＣＥに固定される。一方のねじ挿通穴９１ａは一方が露出配設用カバー９の径方向に長い長穴となっており、取付ねじＳＣ１の間隔をある程度の幅で変更可能となっている。
【００５２】
また、露出配設用カバー９の底面の左右両端部には、それぞれ、下端にねじ穴９２ａが開口した円筒形状のねじ止め部９２が下方へ突設されている。ハウジング４の本体部４１の上面（すなわちボディ７の本体部７１の上面）には、ねじ挿通穴４１ｆの上端部において水平な断面におけるねじ挿通穴４１ｆの断面形状をだるま穴形状とするような凹部４１ｉが設けられている。上記のねじ止め部９２の外径は、上記の凹部４１ｉ以外の部位でのねじ挿通穴４１ｆの前後の寸法よりも大きく且つ上記の凹部４１ｉの前後の寸法よりも僅かに小さくなっており、上記の凹部４１ｉに上記のねじ止め部９２を挿入することにより、露出配設用カバー９はハウジング４に対して位置決めされるとともに、露出配設用カバー９のねじ穴９２ａがハウジング４のねじ挿通穴４１ｆに連通する。そして、ハウジング４の各ねじ挿通穴４１ｆにそれぞれ結合ねじＳＣ３を挿通して露出配設用カバー９のねじ穴９２ａに螺合させることで、露出配設用カバー９はハウジング４に対して固定される。つまり、露出配設用カバー９は２本の結合ねじＳＣ３を用いたねじ止めによってハウジング４に対して着脱自在に結合する。
【００５３】
さらに、露出配設用カバー９の内周面には、下側の内径を上側の内径よりも大きくする段９３が設けられている。上記の段９３の下側では露出配線用カバー９の内径はハウジング４の本体部４１の外径（すなわちカバー６の外径。以下、単に「ハウジング４の外径」と呼ぶ。）よりも大きく、上記の段９３の上側では露出配線用カバー９の内径はハウジング４の外径よりも小さくなっている。ハウジング４と露出配設用カバー９とを互いに結合させた状態では、ハウジング４の上端が上記の段９３に当接することにより、露出配設用カバー９に対するハウジング４のがたつきが抑えられる。
【００５４】
また、露出配設用カバー９の底面には、ハウジング４の端子台部４２の上端部が収納される端子台収納穴９４が上下に貫設されている。端子台収納穴９４は、上下方向から見た形状が端子台部４２と同様であって寸法に関しては端子台部４２よりも僅かに大きくなっている。すなわち、露出配設用カバー９を前後逆向きにしてハウジング４に取り付けようとした場合、端子台収納穴９４に端子台部４２が入らないことにより取り付けが不可能となっている。また、露出配設用カバー９とハウジング４とが互いに結合し露出配設用カバー９の段９３にハウジング４の上端が当接した状態では、露出配設用カバー９の上面と端子台収納穴９４とは略面一になる。つまり、露出配設用カバー９は、水平方向から見てハウジング４の端子台部４２を覆う。このように、ハウジング４の端子台部４２の上端部が収納される端子台収納穴９４を設け、且つ端子台収納穴９４を貫通穴としていることにより、端子台収納穴９４を設けない場合や、端子台収納穴９４を貫通穴とせず凹部とする場合に比べ、ハウジング４に露出配設用カバー９を取り付けた状態での全体としての上下の寸法を小さくすることが可能となっている。
【００５５】
さらに、露出配設用カバー９の前端部には、前後両側と上方とに開放された貫通穴である電線挿通穴９５が設けられており、ハウジング４の電線挿入穴４２ａに挿入される電線ＰＣを、上記の電線挿通穴９５を通じて露出配設用カバー９内に導入することができるようになっている。
【００５６】
また、図２０に示すように、露出配設用カバー９の内底面（下面）において端子台収納穴９４の後側（図２０での左側）には、ハウジング４との結合用の２本の結合ねじＳＣ３をそれぞれ保持するねじ保持部９６が設けられている。ねじ保持部９６は、２本の結合ねじＳＣ３を、それぞれ軸方向を左右方向（図２０での上下方向）に向け頭部を左方（図２０での上方）へ向けて保持するものであって、各結合ねじＳＣ３の頭部の軸方向での寸法よりも僅かに大きい間隔で設けられ各結合ねじＳＣ３の頭部を左右両側から挟む一対の挟み凸部９６ａ，９６ｂと、挟み凸部９６ａ，９６ｂの右側に設けられ各結合ねじＳＣ３の脚部を保持する保持凸部９６ｃと、保持凸部９６ｃの右側に設けられ各結合ねじＳＣ３の脚部の先端のがたつきを抑えるがたつき抑え凸部９６ｄとからなる。保持凸部９６ｃには、それぞれ左右両側と下方とに開放され１本ずつの結合ねじＳＣ３の脚部が圧入される圧入溝９６ｅが設けられている。また、がたつき抑え凸部９６ｄには、それぞれ左右両側と下方とに開放され前後の寸法が各結合ねじＳＣ３の脚部の外径よりも僅かに大きく１本ずつの結合ねじＳＣ３の脚部が挿通される２個の挿通溝９６ｆが設けられている。本実施形態では、ねじ保持部９６が上記のように端子台収納穴９４の後側、すなわち端子台収納穴９４を挟んで電線挿通穴９５の反対側に設けられていることにより、ねじ保持部９６が、電線挿通穴９５に挿通されて電線挿入穴４２ａに挿入される電線ＰＣの邪魔にならない。
【図面の簡単な説明】
【００５７】
【図１】本発明の実施形態のハウジングと化粧カバーとを示す斜視図である。
【図２】同上を示す図であり、（ａ）は下面図、（ｂ）は正面図、（ｃ）は左側面図である。
【図３】同上を示す断面図である。
【図４】同上を示す上側から見た分解斜視図である。
【図５】同上を示す下側から見た分解斜視図である。
【図６】（ａ）（ｂ）はそれぞれ同上の強電ブロックを示す斜視図であり、（ａ）（ｂ）は互いに異なる方向から見た状態を示す。
【図７】同上の強電ブロックの要部を示す分解斜視図である。
【図８】同上の強電ブロックを示す分解斜視図である。
【図９】同上の強電ブロックの組立方法を示す説明図である。
【図１０】（ａ）（ｂ）はそれぞれ同上のレンズブロックを示す斜視図であり、（ａ）（ｂ）は互いに異なる方向から見た状態を示す。
【図１１】同上においてカバーにレンズブロックが取り付けられた状態を示す斜視図である。
【図１２】同上の使用形態の一例を示す説明図である。
【図１３】同上においてカバーに弱電ブロックと強電ブロックとがそれぞれ取り付けられた状態を示す斜視図である。
【図１４】同上の別の使用形態を示す説明図である。
【図１５】露出配設用カバーを含む同上を示す斜め上から見た分解斜視図である。
【図１６】露出配設用カバーを含む同上を示す斜め下から見た分解斜視図である。
【図１７】（ａ）（ｂ）はそれぞれ露出配設用カバーを含む同上を示し、（ａ）は左側面図、（ｂ）は断面図である。
【図１８】（ａ）（ｂ）はそれぞれ露出配設用カバーを含む同上を示し、（ａ）は正面図、（ｂ）は断面図である。
【図１９】露出配設用カバーを含む同上を示す斜視図である。
【図２０】同上の露出配設用カバーを示す斜視図である。
【図２１】従来の熱線センサ付きスイッチを示す斜視図である。
【図２２】同上に用いられる化粧カバーを示す斜視図である。
【符号の説明】
【００５８】
３  電線接続端子
４  ハウジング
８  化粧カバー
９  露出配設用カバー
４１  本体部
４１ａ  窓穴
４１ｈ  係止凸部
４２  端子台部
４２ａ  電線挿入穴
８１  底部
８２  周壁部
８２ａ  被係止凸部
９４  端子台収納穴
９５  電線挿通穴
９６  ねじ保持部
ＣＥ  天井材
ＣＥ１  埋込穴
ＴＰ  熱線センサ
【図１】
0004482583.tif 000002
【図２】
0004482583.tif 000003
【図３】
0004482583.tif 000004
【図４】
0004482583.tif 000005
【図５】
0004482583.tif 000006
【図６】
0004482583.tif 000007
【図７】
0004482583.tif 000008
【図８】
0004482583.tif 000009
【図９】
0004482583.tif 000010
【図１０】
0004482583.tif 000011
【図１１】
0004482583.tif 000012
【図１２】
0004482583.tif 000013
【図１３】
0004482583.tif 000014
【図１４】
0004482583.tif 000015
【図１５】
0004482583.tif 000016
【図１６】
0004482583.tif 000017
【図１７】
0004482583.tif 000018
【図１８】
0004482583.tif 000019
【図１９】
0004482583.tif 000020
【図２０】
0004482583.tif 000021
【図２１】
0004482583.tif 000022
【図２２】
0004482583.tif 000023